(57)【要約】【課題】換気扇の風圧または外風を用いなくとも、使用者がフィルタのメンテナンスをすることなく、フィルタに付着した埃を除去できる屋外フードを提供することを目的とする。【解決手段】壁内１に設けられ室内２と室外３を連通させるダクト４内に挿入される筒部５と、外壁６に取り付けられ略中央に開口部７を有した本体８と、この本体８を覆うようにして設けられ下方に開口を有したフード９と、筒部５内にフィルタ１０が設けられ、フィルタ１０面の正面には振動子１１が設けられ、振動子１１の端部１２には圧力変動を受ける受振体１３が設けられ、部屋のドアの開閉によって生じる筒部５内の圧力変動差または、筒部５内を通過する風によって受振体１３が振動を受振し、その振動を振動子１１に伝え振動子１１の振動によって、フィルタ１０に付着した埃を落とすことのできる屋外フードを提供できる。【選択図】図１
2008185236.tif 000002
【特許請求の範囲】
【請求項１】
壁内に設けられ室内と室外を連通させるダクト内に挿入される筒部と、外壁に取り付けられ略中央に開口部を有した本体と、この本体を覆うようにして設けられ下方に開口を有したフードと、前記筒部内にフィルタが設けられ、フィルタ面の正面には振動子が設けられ、振動子の端部には圧力変動を受ける受振体が設けられ、部屋のドアの開閉によって生じる筒部内の圧力変動差または、筒部内を通過する風によって受振体が振動を受振し、その振動を振動子に伝え前記振動子の振動によって、フィルタに付着した埃を落とすことのできる屋外フード。
【請求項２】
バネが振動子と筒部とに連結された構造とした請求項１記載の屋外フード。
【請求項３】
バネの固有振動数と、受振体と振動子とからなる系の固有振動数をほほ同じとした構造とした請求項１および２記載の屋外フード。
【請求項４】
フィルタの目の構造は振動子と接するフィルタ面の被振動起点部を起点にして外周方向に向かう１本または複数の伝播線と、伝播線に交わるように設けられた１本または複数の交線によってなる構造で、フィルタの被振動起点部からの衝撃を外周方向に伝播できる目の構造とした請求項１〜３のいずれかに記載の屋外フード。
【請求項５】
交線を、伝播線により構成した請求項４記載の屋外フード。
【発明の詳細な説明】
【技術分野】
【０００１】
本発明は、建物の換気を行うために換気風路に取り付けられる換気用屋外フードに関するものである。
【背景技術】
【０００２】
近年、住宅はエネルギー効率また快適性のため、気密化住宅が一般化されてきている。これにより換気の重要性が高まり、各部屋へ換気扇の設置がなされており、屋外にはその換気口に屋外フード設置されている。設置場所によっては、屋外フードの開口部から小さな虫が侵入するため、このような場所では防虫網付きの屋外フードの設置がされていた。しかしながら、このような防虫網付きの屋外フードの場合、長期にわたって換気扇等を運転すると防虫網に埃や虫が長期間にわたって堆積され、防虫網が目詰まりし、換気効率が低下するという課題があった。また、屋外フードの設置場所は高所であり、簡単に手の届く場所に設置されてないため屋外フードの設置後は防虫網が目詰まりしても人手によって掃除できないという課題があった。このような課題の解決のため、特許文献１に示すように、フィルタの前面に羽根板が設けられ、前記羽根板の各羽根にはブラシが設けられ、風力によってブラシを回転させ、ブラシによりフィルタに付着した埃や虫を払い落とす方法が知られている（例えば、特許文献１参照）。
【０００３】
しかし、このような換気口カバー材はブラシがフィルタに接触して埃を落とす構造であるため、実際には、この接触による摩擦が大きく、ブラシを回転させるためにはこの摩擦力より大きい風力が必要である。この風力を換気扇の動力でする場合には、風力を発生させる換気扇のパワーを大きくしなければならなく、このブラシを回転させるため、換気扇の動力が使われてしまうので、換気扇の効率はブラシを回転させるパワーの分だけ換気扇の消費電力が余分に発生するため、換気効率および、エネルギー効率を低下するという課題があった。また、この風力を室外で発生する外風で行おうとする場合には、風の強い地域または場所でしか実現できないという課題があった。
【０００４】
以下、その構成について図５を参照にしながら説明する。
【０００５】
図に示すように、建物の外周に設けた換気口に開口１０１を設けた蓋板１０２と、この蓋板１０２に固定しかつ開口１０１を覆ったフィルタ１０３と、このフィルタ１０３に隣接して羽根板１０４を設け、羽根板１０４には回転自在となる羽根１０５が軸支され、各羽根１０５にはブラシ１０６が設けられてなり、風圧により羽根１０５が回転することに伴いブラシ１０６がフィルタ１０３上を摺動する構造の換気口カバー材があった。
【特許文献１】実開昭６３−１１１５０７号公報（図１）
【発明の開示】
【発明が解決しようとする課題】
【０００６】
このような実用新案にある換気口カバーすなわち屋外フードは、換気扇の風圧によって羽根１０５を回転させ、羽根１０５に設けられたブラシ１０６をフィルタ１０３の表面上と摺動することによって、フィルタ１０３上に堆積された埃などを落とす構造と成っている。
【０００７】
しかしながら、埃を掃き落とすためのブラシ１０６がフィルタ１０３上を摺動する構造であるため、ブラシ１０６とフィルタ１０３とで摩擦力が生じるため羽根１０５を回転させるにはこの摩擦力よりも大きい風圧の換気扇が必要である。またこの換気扇の風力エネルギーを使って羽根１０５を回転する構造であるため、その羽根１０５を回転させる動力分だけ換気扇の排気に使われるエネルギーが使用されるため、換気扇の消費電力が増加しまた、排気効率も低下する。その結果使用者（住居者）に電力の負担がかかってしまうという課題がある。一方、羽根１０５を室外で発生する外風で回転させようとしても、ブラシ１０６とフィルタ１０３とで摩擦力があるため、相当強い外風が必要となり、風が発生しないような場所に設置されたにはその効果を発揮できないという課題があった。
【０００８】
本発明は上記課題を解決するもので、換気扇の風圧または外風を用いなくとも、使用者がフィルタのメンテナンスをすることなく、フィルタに付着した埃を除去できる屋外フードを提供することを目的とする。
【課題を解決するための手段】
【０００９】
本発明の屋外フードは上記目的を達成するために、壁内に設けられ室内と室外を連通させるダクト内に挿入される筒部と、外壁に取り付けられ略中央に開口部を有した本体と、この本体を覆うようにして設けられ下方に開口を有したフードと、前記筒部内にフィルタが設けられ、フィルタ面の正面には振動子が設けられ、振動子の端部には圧力変動を受ける受振体が設けられ、部屋のドアの開閉によって生じる筒部内の圧力変動差または、筒部内を通過する風によって受振体が振動を受振し、その振動を振動子に伝え前記振動子の振動によって、フィルタに付着した埃を落とすことのできる屋外フードとしたものである。
【００１０】
この手段により、ドアの開閉によって筒部内に生じた圧力差を受振体が受振し、その振動を振動子で増幅し、振動子からの振動をフィルタが受けることによって、フィルタに付着した埃がふるい落とされることにより、目詰まりしない状態に保てることができるため、フィルタの定期的な掃除をするために人が手をかけてメンテナンスをする手間がないため、フィルタのメンテフリーが実現できる屋外フードが提供できる。
【００１１】
また、他の手段は、バネが振動子と筒部とに連結された構造としたものである。
【００１２】
この手段により、バネが振動子をさらに増幅させるため、フィルタに付着した埃がドアの開閉などによってフィルタを目詰まりしない状態に保てることができるため、フィルタの定期的な掃除をするために人が手をかけてメンテナンスをする手間がないため、フィルタのメンテフリーが実現できる屋外フードが提供できる。
【００１３】
また、他の手段は、バネの固有振動数と、受振体と振動子とならなる系の固有振動数をほほ同じとした構造としたものである。
【００１４】
この手段により、振動子が共振し、振幅が大きくなり、また振動時間も長くなるため、フィルタを大きく震わせることができ、長時間に渡って振動をフィルタに伝えるため、ドアの開閉などによってフィルタに絡みつくようななかなか落ちない埃も落とすことができるため、フィルタを目詰まりしない状態に保てることができ、フィルタの定期的な掃除をするために人が手をかけてメンテナンスをする手間がないため、フィルタのメンテフリーが実現できる屋外フードが提供できる。
【００１５】
また、他の手段は、フィルタの目の構造は振動子と接するフィルタ面の被振動起点部を起点にして外周方向に向かう１本または複数の伝播線と、伝播線に交わるように設けられた１本または複数の交線によってなる構造で、フィルタの被振動起点部からの衝撃を外周方向に伝播できる目の構造としたものである。
【００１６】
この手段により、振動子がフィルタの振動起点部に与えた振動が伝播線に沿ってフィルタの外周に効果的に伝播することにより、フィルタの全面部が衝撃によって震わされる状態になるので、フィルタの全面の埃を落とすことができる。
【００１７】
また、他の手段は、交線を、伝播線により構成したものである。
【００１８】
この手段により、振動子がフィルタの振動起点部に与えた衝撃が伝播線に沿ってフィルタの外周および外周方向の伝播線間の伝播線にも効果的に伝播することにより、容易にフィルタの全面部が衝撃によって震わされる状態になるので、フィルタの全面の埃を落とすことができる。
【発明の効果】
【００１９】
本発明の屋外フードによれば、ドアの開閉によって筒部内に生じた圧力差を受振体が受振し、その振動を振動子で増幅し、振動子からの振動をフィルタが受けることによって、フィルタに付着した埃がふるい落とされることにより、目詰まりしない状態に保てることができるため、フィルタの定期的な掃除をするために人が手をかけてメンテナンスをする手間がないため、フィルタのメンテフリーが実現できる屋外フードが提供できる。
【００２０】
また、振動子をさらに増幅させることができる。
【００２１】
また、振動子が共振し、振幅が大きくなり、また振動時間を長くすることができるため、フィルタを大きく震わせることができ、長時間に渡って振動をフィルタに伝えるため、ドアの開閉などによってフィルタに絡みつくようななかなか落ちない埃も落とすことができる。
【００２２】
また、振動子がフィルタの振動起点部に与えた振動が伝播線に沿ってフィルタの外周に効果的に伝播することにより、フィルタの全面部が衝撃によって震わされる状態になるので、フィルタの全面の埃を落とすことができる。
【００２３】
また、他の手段は、交線を、伝播線により構成したことにより、フィルタの目を構成する全てを容易に震わせ、フィルタ全面に付着した埃を効率よく落とすことができる屋外フードを提供できる。
【発明を実施するための最良の形態】
【００２４】
本発明の請求項１に記載の屋外フードは、壁内に設けられ室内と室外を連通させるダクト内に挿入される筒部と、外壁に取り付けられ略中央に開口部を有した本体と、この本体を覆うようにして設けられ下方に開口を有したフードと、前記筒部内にフィルタが設けられ、フィルタ面の正面には振動子が設けられ、振動子の端部には圧力変動を受ける受振体が設けられ、部屋のドアの開閉によって生じる筒部内の圧力変動差または、筒部内を通過する風によって受振体が振動を受振し、その振動を振動子に伝え前記振動子の振動によって、フィルタに付着した埃を落とすことのできる屋外フードにおいて、ドアの開閉によって筒部内に生じた圧力差を受振体が受振し、その振動を振動子で増幅し、振動子からの振動をフィルタが受けることによって、フィルタに付着した埃がふるい落とされることにより、目詰まりしない状態に保てることができるため、フィルタの定期的な掃除をするために人が手をかけてメンテナンスをする手間がないため、フィルタのメンテフリーが実現できる屋外フードが提供できるという作用を有する。
【００２５】
また、バネが振動子と筒部とに連結された構造としたものであり、これによりバネが振動子をさらに増幅させるため、フィルタに付着した埃がドアの開閉などによってフィルタを目詰まりしない状態に保てることができるため、フィルタの定期的な掃除をするために人が手をかけてメンテナンスをする手間がないため、フィルタのメンテフリーが実現できる屋外フードが提供できるという作用を有する。
【００２６】
また、バネの固有振動数と、受振体と振動子とならなる系の固有振動数をほほ同じとした構造としたものであり、これにより振動子が共振し、振幅が大きくなり、また振動時間も長くなるため、フィルタを大きく震わせることができ、長時間に渡って振動をフィルタに伝えるため、ドアの開閉などによってフィルタに絡みつくようななかなか落ちない埃も落とすことができるため、フィルタを目詰まりしない状態に保てることができ、フィルタの定期的な掃除をするために人が手をかけてメンテナンスをする手間がないため、フィルタのメンテフリーが実現できる屋外フードが提供できるという作用を有する。
【００２７】
また、フィルタの目の構造は振動子と接するフィルタ面の被振動起点部を起点にして外周方向に向かう１本または複数の伝播線と、伝播線に交わるように設けられた１本または複数の交線によってなる構造で、フィルタの被振動起点部からの衝撃を外周方向に伝播できる目の構造としたものであり、これによって、振動子がフィルタの振動起点部に与えた振動が伝播線に沿ってフィルタの外周に効果的に伝播することにより、フィルタの全面部が衝撃によって震わされる状態になるので、フィルタの全面の埃を落とすことができるという作用を有する。
【００２８】
また、交線を、伝播線により構成したものであり、振動子がフィルタの振動起点部に与えた衝撃が伝播線に沿ってフィルタの外周および外周方向の伝播線間の伝播線にも効果的に伝播することにより、容易にフィルタの全面部が衝撃によって震わされる状態になり、フィルタの全面の埃を落とすことができるという作用を有する。
【００２９】
以下、本発明の実施の形態について、図面を参照しながら説明する。
【００３０】
（実施の形態１）
図１に示すように、壁内１に設けられ室内２と室外３を連通させるダクト４内に挿入される筒部５と、外壁６に取り付けられ略中央に開口部７を有した本体８と、この本体８を覆うようにして設けられ下方に開口を有したフード９と、筒部５内にフィルタ１０が設けられ、フィルタ１０面の正面には振動子１１が設けられ、振動子１１の端部１２には圧力変動を受ける受振体１３が設けられ、部屋のドアの開閉によって生じる筒部５内の圧力変動差または、筒部５内を通過する風によって受振体１３が振動を受振し、その振動を振動子１１に伝え前記振動子１１の振動によって、フィルタ１０に付着した埃を落とすことのできる屋外フードとしたものである。
【００３１】
上記構成において、住宅に屋外フードが設置された後、屋外フードが設置されている部屋のドアを開閉すると室内２の圧力は瞬間的に変動する。室内２はダクト４に連通しているため、ダクト４内も瞬間的に圧力変動が発生する。
【００３２】
例えば、ドアが部屋内方向に開閉するドアであった場合、ドアを開けると部屋の圧力は瞬間的に上昇する。逆にドアが部屋外方向に開閉するドアであった場合、ドアを閉めると部屋の圧力が瞬間的に上昇する。一方、ドアが部屋内方向に開閉するドアであった場合、ドアを閉めると部屋の圧力は瞬間的に低下する。逆にドアが部屋外方向に開閉するドアであった場合、ドアを開けると部屋の圧力が瞬間的に低下する。ダクト４内に圧力変動が発生すると、その圧力変動は受振体１３に振動を及ぼす。受振体１３の振動は振動子１１によって増幅され、増幅された振動でフィルタ１０を震わすこととなる。フィルタ１０が振るわされることにより、フィルタ１０に付着した埃はフィルタ面からふるい落とされることとなり、フィルタの埃を自動的に除去されることとなる。
【００３３】
これにより、フィルタ１０に付着した埃がドアの開閉などによってフィルタ１０を目詰まりしない状態に保てることができるため、フィルタ１０の定期的な掃除をするために人が手をかけてメンテナンスをする手間がないため、フィルタのメンテフリーが実現できる屋外フードが提供できる。
【００３４】
また、受振体は圧力等を受けて振動子に振動を伝えやすい形状および、材質で構成されており、形状としては平面形状または、曲面を有した形状でもよい。また材質は軽い材質が望ましく、アルミまたはプラスチック製がよい。また振動子は線材または、薄い板材などが良く、曲線を有したものが振動を増幅しやすい形状であるため望ましい。
【００３５】
このように本発明の実施の形態１の屋外フードによれば、ドアの開閉によって筒部５内に生じた圧力差を受振体１３が受振し、その振動を振動子１１で増幅し、振動子１１からの振動をフィルタ１０が受けることによって、フィルタに付着した埃がふるい落とされることにより、目詰まりしない状態に保てることができるため、フィルタの定期的な掃除をするために人が手をかけてメンテナンスをする手間がないため、フィルタのメンテフリーが実現できる屋外フードが提供できる。
【００３６】
（実施の形態２）
図２に示すように、バネ１４が振動子１１と筒部５とに連結された構造とする。
【００３７】
上記構成において、ドアの開閉によって生じるダクト４内の圧力変動を受振した受振体１３は振動子１１でその振動を増幅するとき、振動子１１はバネ１４によって連結されているため、バネ１４によってさらに振動が増幅される。また、振動子１１の振動が増幅されることによってその振動している時間も長くなる。
【００３８】
バネ１４を連結することによってさらにフィルタ１０が振るわされる振動が大きくなり、かつ振動時間が長くなることによってフィルタ１０に付着した埃がより多く落とすことが実現できることとなる。これにより、フィルタ１０に付着した埃がドアの開閉などによってフィルタ１０を目詰まりしない状態に保てることができるため、フィルタ１０の定期的な掃除をするために人が手をかけてメンテナンスをする手間がないため、フィルタのメンテフリーが実現できる屋外フードが提供できる。
【００３９】
このように本発明の実施の形態２の屋外フードによれば、バネ１４が振動子１１をさらに増幅させるため、フィルタ１０に付着した埃がドアの開閉などによってフィルタ１０を目詰まりしない状態に保てることができるため、フィルタ１０の定期的な掃除をするために人が手をかけてメンテナンスをする手間がないため、フィルタのメンテフリーが実現できる屋外フードが提供できる。
【００４０】
また、バネ１４の固有振動数と、受振体１３と振動子１１とならなる系の固有振動数をほほ同じとした構造とする。
【００４１】
上記構成において、屋外フードが設置された部屋のドアの開閉によって生じるダクト４内の圧力変動を受振体１３で受けると受振体１３が振動する。その振動は振動子１１によって増幅される。このとき振動子１１はバネ１４によって連結されているため、バネ１４によってさらに振動が増幅される。このとき、バネ１４の固有振動数と、受振体１３と振動子１１とでなる系の固有振動数とがほぼ同じであるため、振動子１１の振れとバネ１４の振れとが共振するため、振動子１１の振れがさらに増大し、フィルタ１０を震わす度合いが大きくなり、フィルタ１０に絡みついてなかなか落ちない埃も落とすことができる。このようにしてフィルタについた取りにくい埃も自動的に除去できることとなる。
【００４２】
このように本発明の実施の形態３の屋外フードによれば、振動子が共振し、振幅が大きくなり、また振動時間も長くなるため、フィルタを大きく震わせることができ、長時間に渡って振動をフィルタに伝えるため、ドアの開閉などによってフィルタに絡みつくようななかなか落ちない埃も落とすことができるため、フィルタを目詰まりしない状態に保てることができ、フィルタの定期的な掃除をするために人が手をかけてメンテナンスをする手間がないため、フィルタのメンテフリーが実現できる屋外フードが提供できる。
【００４３】
（実施の形態３）
図３に示すように、フィルタ１０ａの目１５の構造は振動子１１と接するフィルタ１０ａ面の被振動起点部１６を起点にして外周１７方向に向かう１本または複数の伝播線１８と、伝播線１８に交わるように設けられた１本または複数の交線１９によってなる構造、または、被振動起点部１６を起点にして外周１７方向に向かう１本または複数の伝播線１８どうしが交わってなる構造で、フィルタ１０ａの被振動起点部１６からの衝撃を外周１７方向に伝播できる目１５の構造としている。
【００４４】
上記構成において、フィルタの目１５の構造は、振動子１１が接する部分である被振動起点部１６から外周１７方向に複数の伝播線１８有しており、その伝播線１８と交わるように交線１９よって目１５が構成されている。フィルタ１０ａは目１５より大きい虫が室内２に侵入するのを防止できる。また、長期に換気扇を運転した際には、このフィルタ１０ａの目１５に埃が付着することになる。そして振動子１１がフィルタ１０ａに振動を与えると、その振動は被振動起点部１６から複数の伝播線１８に沿ってフィルタ１０ａの外周１７方向に衝撃が伝播し、振動子１１からの振動がフィルタ１０ａの全体に広がる。このように、フィルタ１０ａの全面部にこの振動が広がるため、フィルタ１０ａの全面についた埃をも落とすことができる。
【００４５】
また、図４に示すように、フィルタ１０ｂは被振動起点部１６を起点とし、中心から渦巻き状のように外周１７に向かう曲線で構成された伝播線１８ａと、被振動起点部１６を起点として外周１７方向に向かう伝播線１８とが交わるようにして目１５ａを構成としたものであり、振動子がフィルタ１０ｂの振動起点部に与えた衝撃が伝播線１８ａに沿ってフィルタ１０ｂの外周および外周方向の伝播線１８間の伝播線１８にも効果的に伝播することにより、容易にフィルタ１０ｂの全面部が衝撃によって震わされる状態になり、フィルタ１０ｂの全面の埃を落とすことができる。
【００４６】
フィルタの目は、このように図４に示すような形状であっても、フィルタ１０ｂが振動子１１からの振動を被振動起点部１６で受振し、被振動起点部１６からの振動が伝播線に沿ってフィルタの外周方向に振動が伝播しフィルタの全体に広げることができるという効果があるという点に差異はない。
【００４７】
このように本発明の実施の形態２の屋外フードによれば、振動子１１がフィルタ１０の振動起点部１６に与えた振動が伝播線１８に沿ってフィルタ１０の外周１７に効果的に伝播することにより、フィルタ１０の全面部が衝撃によって震わされる状態になるので、フィルタ１０の全面の埃を落とすことができる。
【産業上の利用可能性】
【００４８】
本発明にかかる屋外フードは、虫の侵入を防ぐことのできるフィルタを有した排気装置、空気調和装置等にも適用できる。
【図面の簡単な説明】
【００４９】
【図１】本発明の実施の形態１の屋外フードの構成を示す断面図
【図２】本発明の実施の形態２の屋外フードの構成を示す断面図
【図３】本発明の実施の形態３のフィルタを示す正面図
【図４】同屋外フードのフィルタを示す正面図
【図５】従来の屋外フードを示す斜視図
【符号の説明】
【００５０】
１    壁内
２    室内
３    室外
４    ダクト
５    筒部
６    外壁
７    開口部
８    本体
９    フード
１０  フィルタ
１１  振動子
１２  端部
１３  受振体
１４  バネ
１５  目
１６  被振動起点部
１７  外周
１８  伝播線
１９  交線
【図１】
2008185236.tif 000003
【図２】
2008185236.tif 000004
【図３】
2008185236.tif 000005
【図４】
2008185236.tif 000006
【図５】
2008185236.tif 000007